(57)【要約】      （修正有）【課題】浮動部材の上昇及び降下の両行程のエネルギーを取出す。【解決手段】浮動部材３の両側面を各々２本の平行して揺動する揺動腕４で支える構造にすることにより、波動により押寄せられるとき浮動部材３は水平を保ちながら円弧を画いて押上げられ、揺動腕４の上下の支持軸５及び５’に取付けた扇形歯車１１をラック棒下半部のラック歯１３と噛み合せて、ラック棒１２をほぼ垂直に押上げることにより、このラック棒の上半部の右側ラック歯１５に噛み合う右側第一歯車１８を右回転させ、又、反対に波が退き浮動部材３と共にラック棒１２が降下したとき、このラック棒の左側ラック歯１６に噛み合う左側第一歯車２３を右回転させて発電装置の駆動部１７を介して直流発電機の電機子をラック棒１２の上昇及び降下にかかわらず常に同一方向に回転させて発電しうるようにした波動発電装置の構造である。【選択図】図１
2010071275.tif 000002
【特許請求の範囲】
【請求項１】
波動により揺動される浮動部材３の作動により発電する装置において、浮動部材３の両側面を各々２本の平行して揺動する揺動腕４で支える構造にすることにより、浮動部材３は横波に押されて横移動し、次に浮力も加わって円弧を画いて上昇させられることにより、充分波動エネルギーを吸収し、揺動腕支持軸５及び５’に取り付けた扇形歯車１１を上方に向かい回転して、これをラック棒下半部のラック歯１３と噛み合せて、ラック棒１２をほぼ垂直に押上げることにより、このラック棒の上半部の右側ラック歯１５に噛み合う右側第一歯車１８を右回転させ、この歯車の内周のラチェット歯１９に噛み合うラチェット爪２１により、右側ラチェット爪車２０を右回転させ、これと一体になっている右側第二歯車２２によりピニオン２７を数倍増速して左回転させ、軸接手２８を介して直流発電機の電機子３０を左回転して発電させ、又、反対に波が退き、浮動部材３と共にラック棒１２が降下したとき、このラック棒の左側ラック歯１６に噛み合う左側第一歯車２３を右回転させ、この歯車の内周のラチェット歯２４に噛み合うラチェット爪２１により左側ラチェット爪車２５を右回転させ、これと一体となっている左側第二歯車２６によりピニオン２７を増速して左回転させて直流発電機の電機子３０を左回転して発電させ、ラック棒１２の昇降いづれの移動の場合も常に電機子３０を同一方向の左回転させて発電させるようにした波動発電装置の構造
【請求項２】
特許請求の範囲の請求項１に記載の波動発電装置の構造において、横波により浮動部材３が支持枠内を水平横移動しうるようにすると共に、この浮動部材３を載せたまま支持枠３１の両側面に数本の揺動腕４を常に平行して揺動するように取付けて、浮力により円弧を画いて水平を保ちながら押上げられるようにして横波と浮力の両方の波動エネルギーを吸収し、この水平横移動と円弧を画いて上昇する移動の合計を浮動部材３の先端に取付けた下半部弯曲しうるラック棒１２の上昇移動距離でとらへ、又、波が後退するとき浮動部材３の降下をラック棒１２の降下移動距離でとらへ、これら上昇及び降下の移動量により発電装置の駆動部の一連の歯車を回転して直流発電機２９を作動させるようにした波動発電装置の構造
【発明の詳細な説明】
【技術分野】
【０００１】    本発明は波の力及びその浮力を利用して発電する装置に関するものである。
【発明の開示】
【発明が解決しようとする課題】
【０００２】  従来より波の力及びその浮力エネルギーを取出す時は浮動部材が突き上げられてくる作動のみに限定されており従って浮動部材が降下する作動は利用不可能であった。本発明は、浮動部材を横波に押されて横移動させ、次に浮力も加わって弧を画いて上昇させることにより充分波動エネルギーを吸収し、この浮動部材の移動量をラック棒に伝え、これより発電装置の駆動部を介して直流発電機を回転する。このとき本発明の駆動装置の駆動部により浮動部材の上昇及び下降の両行程においても発電機の回転方向を同一にして昇降及び下降の両行程のエネルギーを吸収し、この効果を倍増しようとするものである。
【課題を解決するための手段】
【０００３】  図１及び図２に示すように、浮動部材３の両側面を各々２本の平行して揺動する揺動腕４で支える構造にすることにより浮動部材３は横波に押されて横移動し、次に浮力も加わって円弧を画いて上昇させられることにより、充分波動エネルギーを吸収し、揺動腕支持軸５及び５’に取り付けた扇形歯車１１を上方に向かい回転して、これをラック棒下半部のラック歯１３と噛み合せて、ラック棒１２をほぼ垂直に押上げることにより、このラック棒の上半部の右側ラック歯１５に噛み合う右側第一歯車１８を回転させ、この歯車の内周のラチェット歯１９に噛み合うラチェット爪２１により、右側ラチェット爪車２０を右回転させ、これと一体になっている右側第二歯車２２によりピニオン２７を数倍増速して左回転させ、軸接手２８を介して直流発電機の電機子３０を左回転して発電させる。【０００４】  又、反対に波が退き、浮動部材３と共にラック棒１２が降下したとき、このラック棒の左側ラック歯１６に噛み合う左側第一歯車２３を右回転させ、この歯車の内周のラチェット歯２４に噛み合うラチェット爪２１により左側ラチェット爪車２５を右回転させ、これと一体となっている左側第二歯車２６によりピニオン２７を増速して左回転させて直流発電機の電機子３０を左回転して発電させ、ラック棒１２の昇降いづれの移動の場合も常に電機子３０を左回転して発電させるようにする。【０００５】  又、図５及び図６に示すように横波により浮動部材３が支持枠内を水平横移動しうるようにすると共に、この浮動部材３を載せたまま支持枠３１の両側面に数本の揺動腕４を常に平行にして揺動するように取付けて、浮力により円弧を画いて水平を保ちながら押上げられるようにし、この水平横移動と円弧を画いて上昇する移動の合計を浮動部材３の先端に取り付けた下半部弯曲しうるラック棒１２の上昇移動距離でとらえ、又、波が後退するとき浮動部材３の降下をラック棒１２の降下移動距離でとらへ、これら上昇及び降下の移動量により発電装置の駆動部の一連の歯車を回転して直流発電機２９を作動させるようにする。
【発明の効果】
【０００６】  本発明は浮動部材の水平移動、上昇及び下降の両行程のエネルギーを取り出すことが可能となり、エネルギーの吸収効果は約倍増することができる。
【発明の実施をするための最良の形態】
【０００７】  図１及び図２は本発明の第一実施例を示すものであって架台の梁２と２本の揺動腕４と浮動部材取付長尺板８で平行四辺形のリンク構成にすることにより、下辺の取付長尺板８に固定した浮動部材３を常に水平に揺動し揺動腕４の支持軸５及び５’に取付けた扇形歯車１１をラック棒下半部のラック歯１３と噛み合せることにより、扇形歯車１１の右回転につれてラック棒１２をほぼ垂直に押上げラック棒上半部の右側ラック歯１５に噛み合う右側第一歯車１８を右回転させ、この歯車の内周の右側ラチェット歯１９に噛み合うラチェット爪２１により右側ラチェット爪車２０を右回転させ、これと一体になっている、右側第二歯車２２によりピニオン２７を左回転させる。右側第二歯車２２の直径は右側第一歯車１８より大きく、そしてこれに小径のピニオン２７が噛み合わされているため、ピニオン２７の左回転は、最初の右側第一歯車１８の回転より数倍大きく増速されている。このピニオン２７により軸接手２８を介して直流発電機の電機子３０を左回転して発電させる。猶、ラック棒１２が上昇するときは、ラック棒の左側ラック歯１６により左側第一歯車２３は左回転させられるが、この内周のラチェット歯２４にはラチェット爪２１は噛み合わないため左側ラチェット爪車２５は空転し、右側の歯車列による作動を阻害しないようにしている。
【０００８】  波が引き浮動部材３と共にラック棒１２を押下げることにより、このラック棒の左側ラック歯１６に噛み合う左側第一歯車２３を右回転させ、この歯車の内周ラチェット歯２４に噛み合うラチェット爪２１により左側ラチェット爪車２５を右回転させ、これと一体となっている左側第二歯車２６によりピニオン２７を増速して左回転させて、電機子３０を左回転させて発電する。このとき電機子３０はラック棒１２の昇降にかかわらず常に左回転することにより、電機子３０の逆転を避けることができる。猶、ラック棒１２が下降するときは、右側ラチェット爪車２０は空転し、左側の歯車列による作動を阻害しない。
【０００９】  波動が激しくなり浮動部材３を取付けている揺動腕４が大きく押上げられて水平の位置に達すると、架台の梁２に取付けた揺動腕ロック爪６により自動的に固定され、更に危険な状態になったときは、架台１を水平に引き込んで浮動部材３を陸上まで移動し止水板１０を下して格納しうるようにする。
【００１０】  図５及び図６は本発明の第二実施例を示すものであって、押寄せてきた波のエネルギーを充分に取込むため浮動部材３を支持枠３１に中で横移動させ、この支持枠３１の両側面に数本の揺動腕４を常に平行に揺動するよう取付けて円弧を画いて水平を保ちながら押上げられるようにし、この水平横移動と、円弧を画いて上昇する移動との合計を浮動部材３の先端に取付けた下半部弯曲しうるラック棒１２の上昇移動距離でとらへ、このラック棒の右側ラック歯１５に噛み合う右側第一歯車１８を右回転させ、右側ラチェット爪車２０、右側第二歯車２２及びピニオン２７を介して電機子３０を左回転させて発電させ、又、波が退き浮動部材３が元に戻ると、ラック棒の左側のラック歯１６に噛み合う左側第一歯車２３を右回転させ、左側ラチェット爪車２０、左側第二歯車２６及びピニオン２７を介して電機子３０を左回転して発電させるようにしている。
【００１１】  図５及び図６に示したラック棒１２の下半部のバネ板３３は浮動部材３の下部にピン３４で回転自在に取付けられ、バネ板案内レール３５の内側の溝のカーブに沿って昇降する。猶、このバネ板部の両端には連続して多数の鋼球３６を回転自在に配置することにより、バネ板案内レール３５との摩擦を軽減できる。
【図面の簡単な説明】
【００１２】
【図１】本発明の実施形態の第一実施例を示す縦断面図
【図２】図１の側面図
【図３】図１の発電機駆動部の拡大縦断面図
【図４】図３のＡ−Ａ断面図
【図５】本発明の実施形態の第二実験例を示す縦断面図
【図６】図５のＢ−Ｂ断面図
【符号の説明】
【００１３】１−−−架台                            ２−−−架台の梁
３−−−浮動部材                        ４−−−揺動腕
５及び５’−−−揺動腕支持軸            ６−−−揺動腕ロック爪
７−−−架台押え金具                    ８−−−浮動部材取付長尺板
９−−−浮動部材取付ボルト              １０−−−止水板
１１−−−扇形歯車                      １２−−−ラック棒
１３−−−ラック棒下半部のラック歯      １４−−−ラック棒案内ローラー
１５−−−ラック棒上半部の右側ラック歯  １６−−−ラック棒上半部の左側ラック歯
１７−−−発電装置の駆動部              １８−−−右側第一歯車
１９−−−右側第一歯車のラチェット歯    ２０−−−右側ラチェット爪車
２１−−−ラチェット爪                  ２２−−−右側第二歯車
２３−−−左側第一歯車                  ２４−−−左側第一歯車のラチェット歯
２５−−−左側ラチェット爪車            ２６−−−左側第二歯車
２７−−−ピニオン                      ２８−−−軸接手
２９−−−直流発電機                    ３０−−−電機子
３１−−−浮動部材支持枠                ３２−−−支持枠ガイドローラー
３３−−−ラック棒下半部のバネ板        ３４−−−バネ板取付ピン
３５−−−バネ板案内レール              ３６−−−鋼球
【図１】
2010071275.tif 000003
【図２】
2010071275.tif 000004
【図３】
2010071275.tif 000005
【図４】
2010071275.tif 000006
【図５】
2010071275.tif 000007
【図６】
2010071275.tif 000008